(57)【要約】【課題】医療データベースと連携して、ユーザの健康状態に合わせたメニューの提供や、食事の宅配サービスを提供して健康管理を行う。医療費の削減にもつなげる。【解決手段】予防医療サービスセンターは、制御手段、アクセス権管理ＤＢ、検診データベース（以下、検診ＤＢと呼ぶ）、予防医療コンテンツ、サービスリスト、並びに決済手段を備え、宅配業者端末は、通信手段、制御手段、並びに配達先リストを備える。ユーザが病院等で診察や検診を受けると、病院は入力手段を用いて予防医療サービスセンターの検診データを更新する。ユーザは、予防医療サービスセンターにアクセスして、所望のサービスを申請すると、予防サービスセンターはユーザの認証をとり、ユーザの検診データを参照に、ユーザの体調に合わせたサービスを提供する。病気を予防することにより、医療費削減を実現する。【選択図】  図１
2004240792.tif 000002
【特許請求の範囲】
【請求項１】
第一の端末、第二の端末及び予防医療サービスセンターからなり、前記端末及び予防医療サービスセンターとがネットワークを介して接続することが可能なサービスシステムであって、  前記第一の端末並びに第二の端末は、制御手段、入力手段、出力手段、通信手段、ＩＣカードリーダライタ（以下、ＩＣＣ  Ｒ／Ｗと呼ぶ）を備え、  前記予防医療サービスセンターは少なくとも、制御手段、通信手段、アクセス権管理ＤＢ、検診ＤＢ、予防医療コンテンツ、サービスリストを備え、
前記第一の端末は、前記第一の端末のＩＣＣ  Ｒ／Ｗに挿入したＩＣカードから読み出した「第一の識別データ」を前記第一の端末の送信手段経由で前記予防医療サービスセンターに送信し、前記予防医療サービスセンターは、前記アクセス権管理ＤＢを参照に、前記第一の端末から受信した「第一の識別データ」の認証を行い、認証に成功した場合は、前記第一の端末から前記予防医療サービスセンターの検診ＤＢに対して更新処理を行ない、
ユーザが、前記第二の端末を用いて、前記予防医療サービスセンターのサービスリストを参照に、なんらかの手段で所望の「サービスＩＤ」を選択し、前記第二の端末が前記「サービスＩＤ」とともに、前記第二の端末のＩＣＣ  Ｒ／Ｗに挿入したＩＣカードから読み出した「第二の識別データ」を前記第二の端末の送信手段経由で前記予防医療サービスセンターに送信し、前記予防医療サービスセンターは、前記アクセス権管理ＤＢを参照に、前記第二の端末から受信した「第二の識別データ」の認証を行い、認証に成功した場合は、前記予防医療サービスセンターの制御手段は、前記検診ＤＢを参照に、第二の端末から受信した「第二の識別データ」に属する「検診情報」を検索し、「検診情報」と前記「サービスＩＤ」を元に前記予防医療コンテンツから検索したコンテンツを前記第二の端末に送信したり、サービス業者に各種サービスの手配を行ったりすることを特徴とする予防医療サービス提供システム。
【請求項２】
第一の端末、第二の端末にネットワークを介して接続可能な予防医療サービスセンターにおけるサービス提供方法であって、
前記予防医療サービスセンターは少なくとも、制御手段、通信手段、アクセス権管理ＤＢ、検診ＤＢ、予防医療コンテンツ、サービスリストを備え、
前記第一の端末からユーザが該端末のＩＣＣ  Ｒ／Ｗに挿入したＩＣカードの「第一の識別データ」を受信するステップと、
前記アクセス権管理ＤＢを参照に、受信した「第一の識別データ」の認証を行い、認証に成功した場合は、前記第一の端末から前記予防医療サービスセンターの検診ＤＢに対して更新処理を行なうステップと、
前記第二の端末から、ユーザが前記予防医療サービスセンターのサービスリストを参照に選択した「サービスＩＤ」とともに、前記第二の端末のＩＣＣ  Ｒ／Ｗに挿入したＩＣカードから読み出した「第二の識別データ」を受信するステップと、
前記アクセス権管理ＤＢを参照に、前記第二の端末から受信した「第二の識別データ」の認証を行い、認証に成功した場合に、前記検診ＤＢを参照に、第二の端末から受信した「第二の識別データ」に属する「検診情報」を検索し、「検診情報」と前記「サービスＩＤ」を元に前記予防医療コンテンツから検索したコンテンツを前記第二の端末に送信したり、サービス業者に各種サービスの手配を行ったりするステップを含むことを特徴とする予防医療サービス提供方法。
【請求項３】
請求項１〜２で説明した予防医療サービス提供システム、もしくは予防医療サービス提供方法において、予防医療サービス提供センターは、予防医療サービスセンター、もしくは第一の端末に、患者の個人情報をさらに備えること特徴とする予防医療サービス提供システム及び予防医療サービス提供方法。
【請求項４】
請求項１〜３に記載の予防医療サービス提供システム、もしくは予防医療サービス提供方法において、前記第二の端末からのアクセスに対して、サービスリストから選択されたサービスを提供する前か後ろのどちらかのタイミングにおいて、閲覧許可サーバになんらかの手段で料金の支払いを行なうことを特徴とする予防医療サービス提供方法。
【請求項５】
請求項１〜４に記載の予防医療サービス提供システム、もしくは予防医療サービス提供方法において、ＩＣカードは、秘密鍵と公開鍵からなる、公開鍵暗号方式に対応する秘密鍵を格納することを特徴とする予防医療サービス提供システム及び、予防医療サービス提供方法。
【発明の詳細な説明】
【０００１】
【発明の属する技術分野】
本発明は医療データベースと連携した食事管理に関連したサービスを提供するためのビジネスモデルであり、医療データベースとＩＣカードを利用して、宅配業者、スポーツクラブなど他業種と連携した健康管理のためのサービスを提供する。
【０００２】
【従来の技術】
従来は、例えば糖尿病等にかかってしまった患者は、症状に合わせて糖分控えめにしたメニューの料理を摂取して病状の悪化を防いだり、例えば特開２００２−１６９８９６号公報に記載のように、医療データベースと連携した携帯端末やメモリーカードを利用して緊急の場合に対処したり、過去のノウハウを活かした治療方法を採用してきた。
【０００３】
【特許文献１】
特開２００２−１６９８９６号公報
【０００４】
【発明が解決しようとする課題】
しかしながら、高齢化問題と共に、治療費等の増加が保険機関の財政を圧迫してきており、近年では、病気になってから医療機関にかかるのではなく、病気にかかる前の予防にお金をかけたほうが、結果的に病気を防ぎ医療費削減につながるとのことで、病気を予防するためのビジネス（以下、予防医療ビジネスと呼ぶ）が注目されてきている。病気の予防としては、定期的に健康診断を行い体調に合わせた食生活を推進したり、スポーツクラブなどで基礎体力づくりに励んだり、ストレス緩和のためにカウンセリングを受けたり等の方法があるが、本発明では、医療データベースと連携した食事の宅配サービスに関するビジネスモデルを説明する。
【０００５】
また、複数の業者と連携したサービスを提供するにあたっては、プライバシーに拘わる問題であることから医療データの扱いが特に課題となるが、本発明では、サービス提供時に参照する個人情報と、医療データベースとを切り離して管理することにより、取引先の業者に対して、直接医療データが渡らないようなスキームを提供する。
【０００６】
【課題を解決するための手段】
上記目的を達成するために、
本発明は、病院端末、予防医療サービスセンター及び宅配業者端末が通信手段を介してネットワークに接続されてなるＩＣカードシステムであって、
病院端末は、制御手段、入力手段、出力手段、通信手段並びにＩＣカードＲ／Ｗを備え、
予防医療サービスセンターは、制御手段、アクセス権管理ＤＢ、検診データベース（以下、検診ＤＢと呼ぶ）、予防医療コンテンツ、サービスリスト、並びに決済手段を備え、
宅配業者端末は、通信手段、制御手段、並びに配達先リストを備える。
【０００７】
ユーザが病院等で診察や検診を受けると、病院は入力手段を用いて予防医療サービスセンターの検診データを更新する。
【０００８】
ユーザは、予防医療サービスセンターの会員となり所定の会費を支払うと、予防医療サービスセンターの各種コンテンツを閲覧することが出来る。例えば、ユーザが、予防医療サービスセンターにアクセスして、メニュー提供もしくは宅配を申請すると、予防サービスセンターはユーザの認証をとり、ユーザの検診データを参照に、ユーザの体調に適したメニューを作成し、メニュー配信を申請したユーザへはメニューの提供を行い、宅配を申請したユーザへは宅配業者を手配し、宅配業者はユーザへ食材もしくは調理済み料理の宅配を行なう。
【０００９】
【発明の実施の形態】
以下、本発明の実施の形態について、幾つかの実施例を用い、図を参照して説明する。なお、各図において、同一の符号は同一の構成要素又は同一物または同一物相当の物を示し、その説明を省略する。
【００１０】
図１の本発明による第１の実施例における予防医療サービス提供システムは、病院端末１００、予防医療サービスセンター１１０、宅配業者端末１２０並びにＩＣカード（以下、ＩＣＣと略称する）１３０から成る。
【００１１】
病院端末１００は、制御手段１０１、入力手段１０２、出力手段１０３、通信手段１０４、ＩＣＣリーダライタ（以下、ＩＣＣＲ／Ｗと略称する）１０５、並びに患者個人情報ＤＢ１０５を備える。
【００１２】
予防医療サービスセンター１１０は、通信手段１１１、制御手段１１２、アクセス権管理ＤＢ１１３、検診ＤＢ１１４、予防医療コンテンツ１１５、サービスリスト１１６、並びに決済手段１１７を備える。
【００１３】
宅配業者端末１２０は、通信手段１２１、制御手段１２２、配達先リスト１２３を備える。
【００１４】
病院端末１００、予防医療サービスセンター１１０、並びに宅配業者端末１２０は、通信手段１０４、１１１並びに１２１を介して例えばインターネットやＬＡＮ、衛星通信等の有線もしくは無線のネットワーク経由で接続されている。
【００１５】
本実施例における病院端末１００としては、ＩＣＣＲ／Ｗを備えたパソコンや携帯端末などのユーザ端末を用いる。患者個人情報１０５は、患者の年齢、性別、住所などのプライバシーに拘わる個人情報を記録する。本実施例においては、患者個人情報１０５を病院端末で管理し、予防医療サービスセンター１１０では患者の個人情報を管理しない構成にすることにより、予防医療サービスセンター１１０からの個人情報の流出を防ぐ構成にしているが、予防医療サービスセンター１１０のセキュリティ対策を万全にして、予防医療サービスセンター１１０にて患者個人情報を管理することにより、病院端末１００の負荷を軽減する構成でもよい。また、個人情報をＩＣカードに記録することにより、よりセキュリティを高める効果を得られる。
【００１６】
本実施例における予防医療サービスセンター１１０は、例えばパソコンやワークステーション等で構築したサーバであり、病院端末１００や宅配業者端末１２０からの要求に応じて情報提供等を行なう。
【００１７】
アクセス権管理ＤＢ１１３は、予防医療サービスセンター１１０へのアクセスに対して、ユーザ登録されているアクセスか否かを検証する。
【００１８】
検診ＤＢ１１４は、予防医療サービスセンター１１０と連携している病院の患者のカルテや検診データを管理する。本実施例においては、患者の個人情報は病院端末１００にて管理する構成であるが、患者の個人情報を予防医療サービスセンター１１０の検診ＤＢ１１４にて管理する構成としてもよい。
【００１９】
予防医療コンテンツ１１５は、患者の健康状態に応じて、健康状態に適した食事や運動のメニューを紹介するためのノウハウを蓄積する、言わばエキスパートシステムにあたる。例えば、従来の病院食作成時に参照されていたような、「血糖値に応じた一日の砂糖摂取量」や、「体脂肪に応じた一日のカロリー摂取量」、「目標消費カロリーを達成するための運動量」などのデータを蓄積する。
【００２０】
サービスリスト１１６は、予防医療サービスセンター１１０の提供するサービスのリストであり、検診ＤＢ１１４及び予防医療コンテンツ１１５を参照に、ユーザの体調情報に応じて、スポーツメニューや、食事メニューを提供する。
【００２１】
決済手段１１７は、予防医療サービスセンターの利用者が、サービスの対価として利用料、会費等を支払う際に利用する。例えば、口座引き落とし、クレジットカードでの引き落とし、電子マネーを利用した決済等の、電子的な決済手段を提供する。本実施例においては電子的な決済を想定しているが、予防医療サービスセンター１１０に対する決済手段としては、請求書を発行しての銀行振込など、その他決済手段を利用してもよい。
【００２２】
次に、図２に、病院端末１００が、予防医療サービスセンター１１０の検診ＤＢ１１４を更新する際のフローの一例を説明する。検診ＤＢ１１４を更新するタイミングは、診察時及び検診時に生じる。
【００２３】
まず、診察時のフローを説明する。ステップ２０１において、医者が患者診察の際に、病院端末１１０のＩＣＣＲ／Ｗ１０５に患者のＩＣカードを挿入する。
【００２４】
ステップ２０２において、患者は暗証番号（ＰＩＮ：Ｐｅｒｓｏｎａｌ  Ｉｄｅｎｔｉｆｉｃａｔｉｏｎ  Ｎｕｍｂｅｒ）、もしくは指紋データの入力により、患者の認証を行なう。患者の認証を行なうことにより、他人が本人と偽って診察を受けたりする不正を防ぐ。
【００２５】
ステップ２０３で認証が成功した場合には、医者は診察の結果を検診ＤＢに反映し、検診ＤＢを更新する。
【００２６】
次に、検診時の検診ＤＢ更新フローを説明する。
【００２７】
ステップ２１１において、検診ＤＢの更新担当の職員は、病院端末１００のＩＣＣＲ／Ｗに職員のＩＣカードを挿入する。
【００２８】
ステップ２１２において、職員は、ＰＩＮ、もしくは指紋等の入力により、職員の認証を行なう。
【００２９】
ステップ２１３で認証が成功した場合には、職員は、ステップ２１４において、検診の結果を入力して検診ＤＢを更新する。
【００３０】
本実施例においては本人認証の手段としてＩＣＣを利用しているが、ＩＣＣを利用しないでユーザＩＤのみ、またはユーザＩＤとパスワードの組み合わせ等で本人認証を行っても良い。ユーザＩＤとしては、例えば基礎年金番号や保険証番号や住民基本台帳システムの一環として国や地域や企業等が国民に付与する番号のようなユニークな番号や、または、患者ＩＤ等の、利用者を特定可能な番号を用いて個人を特定してもよい。
【００３１】
また、本実施例においては、健康状態の測定には病院などでの検診結果を用いているが、その他、スポーツクラブでの体力測定の結果などを利用してもよい。
【００３２】
次に、図３を用いて、予防医療サービスセンター１１０にてサービスを受ける際の画面フローを説明する。
【００３３】
３０１は、予防医療サービスセンター１１０のトップページを示し、会員に会員カード、もしくは診察券等の入力を促す画面である。ユーザがＩＣカードを挿入すると、画面は３０２に推移する。
【００３４】
図６は、ＩＣカード内部に格納されたデータであり、例えば、個人番号（６０１）、秘密鍵（６０２）、個人情報（６０３）などのデータである。
【００３５】
個人番号は、ユーザを一意に識別するための番号であり、例えば、予防医療サービスセンターにおいて、検診データ、カルテデータなどの情報を個人番号で管理することにより、それらのデータが具体的に誰のデータを意味するかという個人情報の流出を防ぐ。
【００３６】
秘密鍵は、ＰＫＩ（Ｐｕｂｌｉｃ  Ｋｅｙ  Ｉｎｆｒａｓｔｒｕｃｔｕｒｅ）に代表される公開鍵暗号方式に基づき、データの暗号化やデータ改竄防止のための署名生成等に用いられる。秘密鍵は、特に安全に管理する必要があることから、ＩＣカード等安全な媒体への格納が推奨される。本実施例では特に説明していないが、ユーザに予防医療サービスセンターからコンテンツを配布する際に、ユーザの公開鍵で暗号化して本人以外が参照できない形態で送信したり、ユーザから予防医療サービスセンターに、個人情報などのデータを送信する際に、予防医療サービスセンターの公開鍵で暗号化して送信してもよい。また、本実施例においては特に説明していないが、ユーザの個人情報などをＩＣカードに格納してもよい。
【００３７】
３０２は、病院端末１００の制御手段が、ユーザがＩＣＣＲ／Ｗ１０５に挿入したＩＣＣから会員番号等のユーザを特定する番号に相当する「個人番号」を読出し、出力手段１０３に表示した画面を示す。ユーザが表示された番号を確認し、「ＯＫ」をクリックすると画面は３０３に推移する。
【００３８】
３０３は、個人番号「９８３２５８３９」で特定されるユーザの検診データから判断される健康状態を表示した図である。例えば、脂肪率は“中”、血糖値は“高”、血圧は“高”という値になっている。本画面を参照したユーザは、画面下方の「栄養をつける」、「体力をつける」、「ストレスを減らす」などの、自分の希望に添ったボタンを選択する。「栄養をつける」というボタンを選択すると、食生活から健康増進を推進するコンテンツ、例えば、ユーザの健康状態に合わせたメニューを提示するページへ推移する。「体力をつける」というボタンを選択すると、体調に合わせた運動メニューの紹介等を行なうページへ推移する。「ストレスを減らす」というボタンを選択すると、ユーザの体調に合わせたストレス対処療法等を紹介するページへ推移する。本実施例においては、ユーザがたとえば、「栄養をつける」を選択したと想定し、画面を３０４へ進める。
【００３９】
３０４は、３０３において「栄養をつける」ボタンを選択した際に推移する画面であり、ユーザの体調に合わせたメニューを紹介する。ユーザは、「１．お好みのテイストは？」という項目で、例えば、和食、中華、イタリアン等の料理の好みを選択する。次に、「２．お届けするお食事は？」の項目で、ユーザがメニューの参考にしたいのは、朝食メニューであるのか、昼食か、夕食かを選択する。続いて、「３．ご予算は？」の項目で、ユーザは予算を入力する。食費を抑えたいユーザに高い食材を使ったレシピを紹介したり、食材にこだわりたいユーザに庶民的な食材を使ったレシピを紹介することのないように、ユーザからは一食あたりの予算情報も取得しておく。３０４の例では、ユーザは、夕食に予算５００円で中華メニューを希望していることがわかる。１〜３の項目を選択後、「ＭＥＮＵ作成サービス」ボタンを選択すると、画面は３０５に推移する。
【００４０】
３０５は、３０４でユーザが選んだ条件を備えたメニューの一例である。本実施例における個人番号「９８３２５８３９」で特定されるユーザは、少々血糖値が高いようなので、糖分控えめのメニューが選択されている。これら、体調に合わせたメニューの作成方法としては、従来病院等で採用しているノウハウを使う。３０５においては、「レシピを印刷」、「宅配を頼む」という２つのボタンが表示されている。自分で料理をするユーザは、レシピを印刷して自分で料理を行なうが、すでに出来上がった料理の宅配を希望するユーザは「宅配を頼む」ボタンを選択する。「宅配を頼む」ボタンをクリックすると、予防医療サービスセンター１１０から宅配業者端末１２０にレシピ情報が届くとともに、画面は３０６に推移する。
【００４１】
３０６は、宅配の届け先登録画面である。例えば、氏名、住所、連絡先等のデータや、「決済方法」として、決済手段を選択する画面が示される。３０６でユーザが入力した氏名、住所などの個人データは、図１  １２３における“宅配先リスト”にて管理される。ユーザの個人情報を、予防医療サービスセンターで管理せずに、宅配業者で管理することにより、予防医療サービスセンター１１０のみでは、検診ＤＢ１１４で管理する医療関連のデータが誰に属するのかという紐付けができないことから、個人情報の悪用を防ぐことが出来る。
【００４２】
宅配業者端末１２０では、予防医療サービスセンター１１０から受信したレシピを元に、食材、もしくは調理済みの食材を調達して、配達先リスト１２３を参照に、配達を行なう。
【００４３】
本実施例においては、ステップ３０３で健康状態を算出したあと、同じ予防医療サービスセンターで提供を受けるサービスの選択も行なったが、健康状態の算出結果をＩＣカードに記録してもよい。健康状態の算出結果をＩＣカードに記録することにより、そのＩＣカードをスポーツクラブや宅配業者や、その他業者に提示することにより、体調にあったサービスを受けるというフローが採用でき、リアルな店舗でも同様のサービスを享受可能となる。また、本実施例においては、健康状態の算出結果としては、“脂肪”、“血糖値”などの値の高低で表現したが、具体的に体内の数値の高低による表現でなく、例えば「タイプＡ（脂肪値が高く、血糖値も高い）」、「タイプＢ（脂肪値は高く、血糖値は低い）」など、体調の傾向を数種類に分けた結果を利用してもよい。これにより、サービスの提供手順が単純化され、サービス提供コストの削減がはかれる。
【００４４】
本実施例においては、決済手段については特に言及していないが、決済手段は、クレジットカード番号や銀行口座の番号などや、その他決済手段に加入して付与されたＩＤなどのデータを送信しておこなってもよいし、電子マネーなどで即時決済を行ってもよい。また、本実施例においては、３０５において「宅配を頼む」をクリックした時点で決済を指定する手順となっているが、その他のタイミングで決済手段を選択してもよい。
【００４５】
次に、図４を用いて、ユーザが端末を用いて予防医療サービスセンター１１０のサービスを受ける際の端末フローを説明する。
【００４６】
図１には特に示していないが、ユーザ端末は、病院端末１００から患者個人情報１０５を除く構成である。
【００４７】
ステップ４０１において、ユーザが予防医療サービスセンター１１０のサイトにアクセスすると、ユーザ端末は予防医療サービスセンター１１０からＩＣＣ挿入を促すコンテンツを受信し、出力手段に提示する。
【００４８】
ステップ４０２において、ユーザ端末がＩＣＣの挿入を確認したら、ステップ４０３で、ユーザ端末の制御手段は、ＩＣＣの挿入を検知すると、ＩＣＣから“個人番号”を読み出し、予防医療サービスセンター１１０に通信手段経由で送信し、予防医療サービスセンター１１０から受信した“個人番号”に対応した“健康状態データ”を含むコンテンツを受信し、出力手段に提示する。
【００４９】
図７に、検診ＤＢ１１４を用いて、“個人番号”から“健康診断データ”を検索する方法を説明する。図７（ａ）は、検診ＤＢ１１４であり、個人番号及び、該個人番号の属する患者の“健康診断データＩＤ”、“カルテデータ”などの情報へのポインタを管理する。図７（ａ）では、例えば、個人番号が“９８３２５８３９”で表されるユーザの健康診断データＩＤへのポインタは、“０００００１”であり、カルテ情報へのポインタは、“００００１２”である。図７（ｂ）から、健康診断データＩＤが“０００００１”であるユーザの健康診断データは、体脂肪率が「中（普通）」、血糖値が「高」、血圧が「高」であることがわかる。
【００５０】
ステップ４０４において、ユーザ端末は、ユーザの入力を予防医療サービスセンター１１０に通信手段経由で送信し、予防医療サービスセンター１１０から送信内容に対応したコンテンツを受信し、出力手段に提示する。
【００５１】
ステップ４０５において、ユーザの希望するサービスが確定したか否か判断する。ステップ４０４〜４０５を、ユーザの希望するサービスが確定するまで繰り返す。
【００５２】
ステップ４０６で、ユーザの希望するサービスが確定したら、ユーザは、ユーザが希望したサービスの対価に対する決済を行なう。
【００５３】
図５は、予防医療サービスセンター１１０のフローを示す。
【００５４】
ステップ５０１において、予防医療サービスセンター１１０は、端末からユーザの“個人番号”を受信する。
【００５５】
ステップ５０２において、予防医療サービスセンター１１０の制御手段は、検診ＤＢから、受信した“個人番号”に対応する検診データを検索する。
【００５６】
ステップ５０３では、予防医療サービスセンター１１０の制御手段は、“医療コンテンツ”から検索した検診データから“健康状態データ”を抽出し、通信手段経由で端末に送信する。
【００５７】
ステップ５０４では、予防医療サービスセンター１１０は、病院端末１００や宅配業者端末１２０から通信手段経由でユーザの入力を受信し、端末に受信した内容に対応したコンテンツを送信する。
【００５８】
ユーザの希望するサービス情報の確定が終了するまで、ステップ５０４〜５０５を繰り返す。
【００５９】
ステップ５０６でユーザの希望するサービスが確定したら、予防医療サービスセンター１１０の決済手段は、ユーザが希望したサービスの対価を徴収する画面を端末に送信する。
【００６０】
本実施例においては特に説明していないが、メニューを受け取ったり、宅配を受け取ったユーザが料金を支払う先が、予防医療サービスセンター１１０である場合には、予防医療センター１１０から宅配業者端末１２０に宅配の手配が行なわれるたびに、予防医療サービスセンターから宅配業者に、宅配料金が支払われる手段を備えてもよい。また、ユーザがサービスの対価を宅配業者に対して支払う場合には、予防医療サービスセンターから宅配業者に手配が届くたびに、宅配業者から予防医療サービスセンターに、斡旋料を支払う手段を備えても良い。
【００６１】
【発明の効果】
本発明によれば、医療データベースと連携して、ユーザの健康状態に合わせたメニューの提供や、食事の宅配サービスを提供することで健康管理を行うことができる。また医療費の削減にもつながる。
【図面の簡単な説明】
【図１】本発明のブロック図である。
【図２】病院端末のフローである。
【図３】予防医療サービスセンターの提供するＧＵＩフローである。
【図４】ユーザ端末のフローである。
【図５】予防医療サービスセンターのフローである。
【図６】ＩＣカードに記録してあるデータを示す図である。
【図７】検診ＤＢを示す図である。
【符号の説明】
１００…病院端末、１１０…予防医療サービスセンター、１２０…宅配業者端末、１３０…ＩＣカード。
【図１】
2004240792.tif 000003
【図２】
2004240792.tif 000004
【図３】
2004240792.tif 000005
【図４】
2004240792.tif 000006
【図５】
2004240792.tif 000007
【図６】
2004240792.tif 000008
【図７】
2004240792.tif 000009